(57)【要約】【課題】低コストでセクション／パスの障害管理を実現可能とする。【解決手段】監視システムは、無線回線および有線回線を含む通信網を介して接続された監視装置と複数の被監視対象装置とを備える。監視装置は、Trapと、OIDと、被監視対象装置間の通信接続におけるセクションおよびパスと、を対応付けて格納するMIB DBと、オペレータに対して、被監視対象装置間の通信接続におけるセクションおよびパス情報を表示する表示部と、を備える。監視装置は、被監視対象装置からTrapが送出された場合に、当該Trapに含まれるOIDを取り出し、MIB DBを参照して、取り出したOIDに対応する被監視対象装置間の通信接続におけるセクションおよびパスを特定し、表示部に表示しているセクションおよびパス情報のうちで、特定したセクションおよびパスに対応する箇所について障害表示を行う。【選択図】図９
2014093723.tif 000002
【特許請求の範囲】
【請求項１】
無線回線および有線回線を含む通信網を介して接続された監視装置と複数の被監視対象装置とを備え、
前記監視装置は、
前記被監視対象装置の情報の集合に関して、前記被監視対象装置が前記監視装置に送出するメッセージ情報であるTrapと、MIB（Management information base）に格納されている個々の管理情報の識別子であるOID（Object ID）と、前記被監視対象装置間の通信接続におけるセクションおよびパスと、を対応付けて格納するMIB DB（Management information base Data Base）と、
オペレータに対して、前記被監視対象装置間の通信接続におけるセクションおよびパス情報を表示する表示部と、を備え、
前記監視装置は、
前記被監視対象装置から前記Trapが送出された場合に、当該Trapに含まれる前記OIDを取り出し、前記MIB DBを参照して、前記取り出したOIDに対応する前記被監視対象装置間の通信接続におけるセクションおよびパスを特定し、前記表示部に表示しているセクションおよびパス情報のうちで、前記特定したセクションおよびパスに対応する箇所について障害表示を行う、
監視システム。
【請求項２】
前記表示部は、
前記被監視対象装置間の通信接続におけるセクションおよびパス情報を、前記被監視対象装置間のセクションを示すセクション線として表示し、
前記監視装置は、
前記表示部に表示している前記セクション線のうちで、前記特定したセクションおよびパスに対応する箇所について、重要度に応じた着色を行う、
ことを特徴とする請求項１に記載の監視システム。
【請求項３】
前記監視対象装置は、前記被監視対象装置との間で、SNMPを利用した通信を行う、
ことを特徴とする請求項１または２に記載の監視システム。
【請求項４】
無線回線および有線回線を含む通信網を介して複数の被監視対象装置に接続された監視装置が、前記被監視対象装置の情報の集合に関して、前記被監視対象装置が前記監視装置に送出するメッセージ情報であるTrapと、MIB（Management information base）に格納されている個々の管理情報の識別子であるOID（Object ID）と、前記被監視対象装置間の通信接続におけるセクションおよびパスと、を対応付けて格納するMIB DB（Management information base Data Base）を備え、
前記監視装置が、
オペレータに対して、前記被監視対象装置間の通信接続におけるセクションおよびパス情報を表示するステップと、
前記被監視対象装置から前記Trapが送出された場合に、当該Trapに含まれる前記OIDを取り出し、前記MIB DBを参照して、前記取り出したOIDに対応する前記被監視対象装置間の通信接続におけるセクションおよびパスを特定するステップと、
前記表示しているセクションおよびパス情報のうちで、前記特定したセクションおよびパスに対応する箇所について障害表示を行うステップと、
を含む監視方法。
【請求項５】
前記監視装置が、
前記被監視対象装置間の通信接続におけるセクションおよびパス情報を、前記被監視対象装置間のセクションを示すセクション線として表示するステップと、
前記表示している前記セクション線のうちで、前記特定したセクションおよびパスに対応する箇所について、重要度に応じた着色を行うステップと、
を含むことを特徴とする請求項４に記載の監視方法。
【請求項６】
前記監視対象装置が、前記被監視対象装置との間で、SNMPを利用した通信を行う、
ことを特徴とする請求項４または５に記載の監視方法。
【発明の詳細な説明】
【技術分野】
【０００１】
本発明は監視システムおよび監視方法に関する。
【背景技術】
【０００２】
図１を参照して、本発明が対象とする無線ネットワーク１の構成例を説明する。図１に示す無線ネットワーク１は、無線アクセス装置１１〜１４を用いて構成されている。無線アクセス装置１１〜１４は、二台が一組となり、相互に無線通信を行う無線回線を構成する。各装置間は、無線回線を用いて無線接続されるか、または、有線回線を用いて有線接続されている。これらの無線回線および有線回線を備えて、通信網が構成されている。
【０００３】
無線回線は、主信号と付加ビットを用いて構成されており、付加ビットの中には、監視制御回線（以下、SV回線と称する。）を含む。また、この無線回線の品質は、フェージング等を原因とする受信レベルの低下に起因して劣化することがある。
【０００４】
このため、本発明に関連する技術（例えば、特許文献１を参照。）においては、無線アクセス装置１１〜１４は、「無線回線の品質劣化を検出してより低レートの変調に変調変更することで、回線断を防ぐ適応変調機能」（以下、AMR機能と称する。）を有している。このAMR機能を用いれば、無線アクセス装置１１〜１４が無線回線の回線容量を減少させる時に、主信号の回線容量も追従して減少させることができる。
【０００５】
また、無線アクセス装置１１〜１４の無線回線の無線区間２０１〜２０２の直接接続、もしくは、もしくは有線回線の有線区間１０１〜１０３の直接接続を、セクションと呼ぶ。また、無線アクセス装置１１〜１４のEnd-Endの通信接続をパスと呼び、パスは論理的な接続であり、セクション上において伝送されるものである。
【０００６】
また、無線アクセス装置１１〜１４および回線を監視する監視装置２０（以下、NMS：Network Management Systemと称する。）が、無線ネットワーク１に配置される。この時、NMSは、セクションやパスを単位として、ネットワークの管理を実施する。
【０００７】
従来、NMSがセクション／パス管理を行うためには、被監視対象である無線アクセス装置に関して、同一機種である無線アクセス装置（１１／１２）や、同一機種である無線アクセス装置（１３／１４）といった機種毎に合わせて、必要なプログラムをNMSに作り込む必要があった。このため、コストの増加を招くという問題があった。
【０００８】
一方で、NMSが装置を監視する際に、汎用的な制御プロトコル（以下、SNMP：Simple Network Management Protocolと称する。）を用いて監視のみを行う方法が提案されている（例えば、特許文献２参照）。この場合には、NMSに対して特別なプログラムを作り込む必要はなく、MIB（Management information base）と呼ばれる管理情報ベースをNMSに読み込ませることで、SNMPを利用して被監視対象装置を監視する方法が提案されている（以下、Mibloading監視と称する。）。なお、MIBとは、監視対象機器の情報の集合である。
【先行技術文献】
【特許文献】
【０００９】
【特許文献１】特開２００９−１７７４５９号公報
【特許文献２】特許第３３４６３１２号
【特許文献３】特開２０１０−１１８８３７号公報
【発明の概要】
【発明が解決しようとする課題】
【００１０】
しかしながら、MIBを利用する方法においても、セクション／パス管理について、IETF（The Internet Engineering Task Force）等の規格において標準規格が存在しないために、セクションおよびパスの障害管理を実現できないという問題があった。
【００１１】
なお、本発明に関連する他の技術として、特許文献３がある。特許文献３に係る技術は、段落０００８、００１２などに開示される通り、各マイクロ波無線通信装置（以下、無線装置と称する。）のみを対象とし、制御端末から無線装置へのパス設定を行うものではなく、無線装置のうちから代表を選出して、無線装置から他の無線装置へのパス設定の制御を行うものである。また、上記記載のとおり、制御信号の通信量の削減を目的とするものである。これに対して本発明は、無線装置および有線装置を対象として、NMS側において疑似的なパスの障害管理を行うことを目的とするものであり、その目的および適用対象に関して異なるものである。
【００１２】
本出願は、このような問題点を解決するためになされたものであり、低コストでセクション／パスの障害管理を実現可能とする監視システムおよび監視方法を提供することを目的とする。
【課題を解決するための手段】
【００１３】
一実施の形態において、監視システムは、無線回線および有線回線を含む通信網を介して接続された監視装置と複数の被監視対象装置とを備え、前記監視装置は、前記被監視対象装置の情報の集合に関して、前記被監視対象装置が前記監視装置に送出するメッセージ情報であるTrapと、MIB(Management information base)に格納されている個々の管理情報の識別子であるOID（Object ID）と、前記被監視対象装置間の通信接続におけるセクションおよびパスと、を対応付けて格納するMIB DB（Management information base Data Base）と、オペレータに対して、前記被監視対象装置間の通信接続におけるセクションおよびパス情報を表示する表示部と、を備え、前記監視装置は、前記被監視対象装置から前記Trapが送出された場合に、当該Trapに含まれる前記OIDを取り出し、前記MIB DBを参照して、前記取り出したOIDに対応する前記被監視対象装置間の通信接続におけるセクションおよびパスを特定し、前記表示部に表示しているセクションおよびパス情報のうちで、前記特定したセクションおよびパスに対応する箇所について障害表示を行うものである。
【００１４】
また、他の実施の形態において、監視方法は、無線回線および有線回線を含む通信網を介して複数の被監視対象装置に接続された監視装置が、前記被監視対象装置の情報の集合に関して、前記被監視対象装置が前記監視装置に送出するメッセージ情報であるTrapと、MIB(Management information base)に格納されている個々の管理情報の識別子であるOID（Object ID）と、前記被監視対象装置間の通信接続におけるセクションおよびパスと、を対応付けて格納するMIB DB（Management information base Data Base）を備え、前記監視装置が、オペレータに対して、前記被監視対象装置間の通信接続におけるセクションおよびパス情報を表示するステップと、前記被監視対象装置から前記Trapが送出された場合に、当該Trapに含まれる前記OIDを取り出し、前記MIB DBを参照して、前記取り出したOIDに対応する前記被監視対象装置間の通信接続におけるセクションおよびパスを特定するステップと、前記表示しているセクションおよびパス情報のうちで、前記特定したセクションおよびパスに対応する箇所について障害表示を行うステップと、を含むものである。
【発明の効果】
【００１５】
本発明により、低コストでセクション／パスの障害管理を実現可能とする監視システムおよび監視方法を提供することができる。
【図面の簡単な説明】
【００１６】
【図１】実施の形態１に係る無線ネットワークの構成例を示す図である。
【図２】実施の形態１に係る無線アクセス装置の基本構成例を示す図である。
【図３】実施の形態１に係るＮＭＳの構成例を示す図である。
【図４】実施の形態１に係るＮＭＳの表示部に表示される画面の表示内容例を示す図である。
【図５】実施の形態１に係る各装置のＩＰアドレスを示す表である。
【図６】実施の形態１に係るセクションＤＢに保持される内容を示す表である。
【図７】実施の形態１に係るパスＤＢに保持される内容を表す表である。
【図８】実施の形態１に係るＭＩＢ  ＤＢに保持される内容を示す表である。
【図９】実施の形態１に係る監視方法の動作例を説明するフローチャートである。
【図１０】その他の実施の形態に係る無線ネットワークの構成例を示す図である。
【図１１】本発明の原理を説明するための図である。
【発明を実施するための形態】
【００１７】
実施の形態の説明に先立ち、まず、図１１を参照して、本発明に係る監視システムの原理を説明する。
図１１に示すように、監視システムは、無線回線および有線回線を含む通信網を介して接続された監視装置２と、複数の被監視対象装置３〜６とを備える。監視装置２は、被監視対象装置３〜６の情報の集合に関して、被監視対象装置３〜６が監視装置２に送出するメッセージ情報であるTrapと、MIB(Management information base)に格納されている個々の管理情報の識別子であるOID（Object ID）と、被監視対象装置３〜６間の通信接続におけるセクションおよびパスと、を対応付けて格納するMIB DB(Management information base Data Base)７と、オペレータに対して、被監視対象装置３〜６間の通信接続におけるセクションおよびパス情報を表示する表示部８と、を備える。監視装置２は、被監視対象装置３〜６からTrapが送出された場合に、当該Trapに含まれるOIDを取り出し、MIB DB７を参照して、取り出したOIDに対応する被監視対象装置３〜６間の通信接続におけるセクションおよびパスを特定し、表示部８に表示しているセクションおよびパス情報のうちで、特定したセクションおよびパスに対応する箇所について障害表示を行う。
【００１８】
これにより、監視装置に対してパス管理機能を追加することができる。この結果、監視装置への追加プログラムの開発は不要であることから、セクション／パスの障害管理を低コストに実現することができる。
【００１９】
実施の形態１．
以下、図面を参照して本発明の実施の形態について説明する。
図１は、本実施の形態に係る無線ネットワーク１の構成を示す。無線ネットワーク１は、無線回線および有線回線を含む通信網と、無線アクセス装置１１〜１４と、無線ネットワーク１を介して通信を行う通信装置２１〜２２と、無線アクセス装置１１〜１４等を監視するEMS／NMS監視装置２０（以下、単にNMSと称する。）を備えている。また、無線ネットワーク１は、NMSの情報を取得し、オペレーションをサポートする上位OSS（Operation Support System）２３を備えている。無線アクセス装置１１〜１４と、通信装置２１〜２２と、EMS／NMS監視装置２０と、上位OSS２３と、が通信網を介して互いに接続されている。
【００２０】
ここで、無線アクセス装置１１、１２に関して、監視装置２０としてのNMS側がパス管理機能を有しているものとする。一方で、無線アクセス装置１３、１４に関しては、Mibloading方式に従った監視を行うものとする。
【００２１】
図２は、無線アクセス装置１１〜１４のそれぞれが有している基本構成を示す。無線アクセス装置１１〜１４は、無線機能を集約したModem部３１２と、無線アクセス装置１１〜１４と外部機器とのインタフェースの役割を果たす入力子３０９および出力子３１０と、NMSからの命令を受信して無線アクセス装置１１〜１４を制御するエージェント部３０８と、ユーザーのトラフィックの送受信制御を行う主信号制御部３１１と、備えている。なお、Modem部３１２と同様の構成を備える、Modem部３１３を備えるものとしてもよい。
【００２２】
Modem部３１２は、信号を変調する変調器３０１と、信号を増幅する送信器３０４と、信号の送受信を行うアンテナ３０５と、電波の分配を行う分波器３０７と、信号を受信する受信器３０３と、信号を復調する復調器３０２と、伝送路の状態に応じて変調方式を変化させる変復調器制御部３０６と、を備えている。
【００２３】
入力子３０９および出力子３１０は、無線アクセス装置１１〜１４と外部機器との間のインタフェースの役割を果たし、ユーザデータである主信号を伝送する。また、入力子３０９および出力子３１０は、ATM／STM／PDHやEthernet（登録商標）／Fast Ethernet（登録商標）等の規格に準拠するものである。
【００２４】
図３は、NMSの構成を示す。
NMSは、無線アクセス装置１１〜１４を制御する制御部４０１と、無線アクセス装置１１〜１４との間で通信を行う通信部４０２と、MIBのTrap、OID、およびセクション／パスの対応付けを格納するMIB DB４０３と、主回線の接続情報を保持するセクションDB４０４と、無線アクセス装置１１〜１４間の通信接続におけるセクションおよびパス情報をオペレータに対して表示する表示部４０５と、を備えている。なお、通信部４０２は、無線アクセス装置１１〜１４との間で行う通信として、例えば、SNMPのようなプロトコルを利用した通信を行う。
【００２５】
図４は、NMSの表示部４０５に表示される画面の表示内容を示す。
NMSは、マップウインドウ４０８を画面上に表示し、マップウインドウ４０８上に、被監視対象装置である無線アクセス装置１１〜１４と、無線アクセス装置１１〜１４間の物理的な接続を示す有線セクション４０６と、無線接続を示す無線セクション４０７と、を表示する。また、同図において、また、これらのセクションの集合によって、例えば、無線アクセス装置２１と無線アクセス２２間のパスが示される。
【００２６】
図５は、各装置のIPアドレスを示す表（表１）である。
表１は、図１に示した無線ネットワーク１上の無線アクセス装置１１〜１４および通信装置２１〜２２の装置番号、IPアドレス（識別子）、セクションの接続位置（以下、端点と称する。）を表している。セクションの端点は、有線端点および無線端点を含んで表している。
【００２７】
図６は、セクションDB(Data Base)４０４に保持される内容を示す表（表２）である。
セクションDB４０４は、セクションIDと、セクションの種別を表すための種別ID（後述する表４における種別IDに対応する。）と、セクション名称を保持するラベルと、セクションの端点１および端点２と、を保持する。セクションDB４０４に保持される内容は、マップウインドウ４０８に表示される。
【００２８】
図７は、パスDB(Data Base)４０９に保持される内容を表す表（表３）である。
パスDB４０９は、パス自体の種別ID（後述する表４における種別IDに対応する。）と、パスを構成するセクションの集合と、を保持する。パスを構成する各セクションについて、表２における対応するセクションIDが保持される。
【００２９】
図８は、MIB DB４０３に保持される内容を示す表（表４）である。この表は、識別子（IPアドレス）毎に存在する。
MIB DB４０３に保持されるこの表は、該当するセクションまたはパスを表すための種別IDと、対応する線種別（セクション／パス）と、Item名と、無線アクセス装置１１〜１４がNMSに送出するTrapのTrap名と、Trapに含まれるOIDと、OIDのValueに対応するALARMと、回線種別と、を保持する。
【００３０】
無線アクセス装置１１〜１４がNMSに送出するTRAPは、TRAP送出元装置のIPアドレスと、障害内容を示すOIDを含む（TRAPの詳細については、例えば、「http://www.alaxala.com/jp/techinfo/archive/manual/AX3800S/HTML/11_7/CFGUIDE2/0414.HTM」の図22-25を参照）。また、OIDは、MIBに格納されている個々の管理情報の識別子である。同一機種である無線アクセス装置（１１／１２）や、同一機種である無線アクセス装置（１３／１４）といった機種毎であれば、同じOIDを持つ（NMSは、装置のIPアドレスとOIDの組み合わせによって、障害部位を保持・特定する）。MIB DB４０３に格納されている被監視対象装置の情報は、それぞれOIDと呼ばれる単位で管理される。すなわち、MIB DB４０３のデータは、OIDを用いて管理される。
【００３１】
以下、本実施の形態に係る動作を説明する。
本実施の形態では、ネットワークの構成例として、図１に示した無線ネットワーク１の構成を想定する。また、監視装置２０に関して、NMSの監視対象DB４１０には、表１（装置IPアドレス）に示した形式に従って、予め必要な情報が登録される。また、セクションに関して、セクションDB４０４には、表２（セクションDB４０４）の形式に従って、予め必要な情報が登録される。また、パスに関して、パスDB４０９には、表３（パスDB４０９）の形式に従って、予め必要な情報が登録される。また、MIB DB４０３には、表４（MIB DB４０３）の形式に従って、予め必要な情報が登録される。
【００３２】
本実施の形態に係る動作例に関して、無線アクセス装置１３からTrap（名称：rxLevelAlarm,value：１）が送出された場合（ケース１）と、Trap（名称：chgspeed,value：４０）が送出された場合（ケース２）と、の２つの例を用いて説明する。
【００３３】
まず、ケース１について説明する。
図９に示すフローチャートを参照して、ケース１における動作を説明する。
ケース１では、まず、無線区間２０２においてフェージングが発生し、無線回線劣化が発生した結果、無線アクセス装置１３からTrap（名称：rxLevelAlarm,value：１）が送出されたものと仮定する（S１００）。なお、ケース１でのこの仮定下において、主回線に関しては、AMR機能のために伝送容量が減少しているものの、通信自体は行えているものとする。
【００３４】
次に、Trapを受信したNMSは、TRAP内に含まれるIPアドレスを元に、IPアドレスに対応するMIB DB４０３の先頭の行にカーソルを合わせる（S１０１）。NMSは、カーソルが指定する行が、MIB DB４０３の最後尾に達しているか否かを確認する（S１０２）。最後尾に達している場合には、NMSは処理を終了する。最後尾に達していない場合、NMSは、カーソルが指定した行の情報を読み取り、種別IDと、線種別と、Trap名と、OIDと、Valueと、を取り出す（S１０３）。
【００３５】
NMSは、S１０３において取得したTrap名と受信したTrapとを比較し、一致するか否かを判定する（S１０４）。一致する場合には、NMSは、Ｓ１０５へと処理を移行する。一方で、一致しない場合には、NMSは、Ｓ１０８へと処理を移行する。ここで、本実施の形態では、例として、受信したTrapについてTrap名である"rxLevelAlarm"と一致し、Ｓ１０５へと処理を移行するものとする。
【００３６】
NMSは、Ｓ１０３において取得した線種別が"セクション"であるか否かを判定する（すなわち、"セクション"または"パス"であるかを判定する。）（Ｓ１０５）。セクションである場合には、NMSは、Ｓ１０６へと処理を移行する。一方で、パスである場合には、NMSは、Ｓ１０７へと処理を移行する。ここで、本実施の形態では、例として、線種別がセクションであるとして、Ｓ１０６へと処理を移行するものとする。
【００３７】
NMSは、Ｓ１０３において取得した種別IDに該当するセクション線（表示部４０５上に配置されている。）に対して、該当Trapのvalueに対応した表示を行う（Ｓ１０６）。より具体的には、NMSは、MIB DB４０３上におけるTrapに対応したValue項目（"Alarm：１"、"Normal：０"）を参照して、動作を決定する。ここでは例として、マップウインドウ４０８上のセクション線のうちで、セクションの種別IDが１に対応するセクション線を、Alarmとして着色する。この動作は、NMSが、該当TrapのValue（値：１）に対応するMIB DB４０３上の項目"Alarm：１"を参照し、参照の結果、Alarmと判断したために決定されたものである。
【００３８】
上記動作によって、オペレータに対して、セクションアラーム（RX Level）を通知することができる。
【００３９】
一方、NMSは、線種別がパスである場合には、表３（パスDB４０９）を参照して、パスを構成するセクションの種別IDを特定する（S１０８）。そして、NMSは、S１０６へと処理を移行し、S１０８において特定したセクションの種別ID全てに関して、表示部４０５上に配置されたセクション線にアラームの重要度に応じた着色を行う。NMSは、例えば、障害の重要度がCriticalである場合には、S１０８において特定したセクションの種別ID全てに関して、表示部４０５上に配置されたセクション線に赤色の着色を行う。無線アクセス装置１１〜１４がNMSに送出するTRAPは、障害事象の重要度を含む。また、監視対象である無線アクセス装置１１〜１４において、障害事象およびその重要度に関して、障害事象と重要度が予め対応付けられて保持されている。例えば、図１の区間２０１における無線回線断という事象の発生に対して、その重要度が予め設定されて保持されている。なお、NMSは、Trapに含まれるOIDのValue値に対応して、マップウインドウ４０８上のセクション線の表示を変化させるようにしてもよい。
【００４０】
NMSは、カーソルが示す行をインクリメントして、MIB DB４０３の次の行を読み出す状態として、S１０２へと処理を遷移する（S１０７）。
なお、NMSは、Trapに含まれるOIDのValue値に対応して、マップウインドウ４０８上のセクション線の表示を変化させるようにしてもよい。
【００４１】
次に、ケース２について説明する。
図５に示すフローチャートを再び参照して、ケース２における動作を説明する。ケース２では、まず、無線区間２０２においてフェージングが発生し、無線回線劣化が発生した結果、無線アクセス装置１３からTrap（名称：chgspeed,value：４０）が送出されたものと仮定する（S１００）。なお、ケース２でのこの仮定下において、主回線に関しては、AMR機能のために伝送容量が減少しているものの、通信自体は行えているものとする。
【００４２】
次に、Trapを受信したNMSは、TRAP内に含まれるIPアドレスを元に、IPアドレスに対応するMIB DB４０３の先頭の行にカーソルを合わせる（S１０１）。NMSは、カーソルが指定する行が、MIB DB４０３の最後尾に達しているか否かを確認する（S１０２）。最後尾に達している場合には、NMSは処理を終了する。最後尾に達していない場合、NMSは、カーソルが指定した行の情報を読み取り、種別IDと、線種別と、Trap名と、OIDと、Valueと、を取り出す（S１０３）。
【００４３】
NMSは、S１０３において取得したTrap名と受信したTrapとを比較し、一致するか否かを判定する（S１０４）。一致する場合には、NMSは、Ｓ１０５へと処理を移行する。一方で、一致しない場合には、NMSは、Ｓ１０８へと処理を移行する。ここで、本実施の形態では、例として、受信したTrapについてTrap名である"chgspeed"と一致し、Ｓ１０５へと処理を移行するものとする。
【００４４】
NMSは、Ｓ１０３において取得した線種別が"セクション"であるか否かを判定する（すなわち、"セクション"または"パス"であるかを判定する。）（Ｓ１０５）。セクションである場合には、NMSは、Ｓ１０６へと処理を移行する。一方で、パスである場合には、NMSは、Ｓ１０７へと処理を移行する。ここで、本実施の形態では、例として、線種別がセクションであるために、Ｓ１０６へと処理を移行するものとする。
【００４５】
NMSは、Ｓ１０３において取得した種別IDに該当するセクション線（表示部４０５上に配置されている。）に対して、該当Trapのvalueに対応した表示を行う（Ｓ１０６）。より具体的には、NMSは、MIB DB４０３上におけるTrapに対応したValue項目を参照して、動作を決定する。
【００４６】
ここでは例として、セクションの種別IDが１に対応するセクション線を、Alarmとして着色する。この動作は、NMSが、該当TrapのValue（値：４０）に対応するMIB DB４０３上の項目"Alarm：xx,Norml：１００"を参照し、参照の結果、Normalと一致しないために、Alarmと判断して決定されたものである。
【００４７】
上記動作によって、オペレータに対して、セクションアラーム（SpeedDown）を通知することができる。
【００４８】
以上に説明したように、本実施の形態によれば、以下に例示する効果を奏する。
まず、監視装置への追加プログラムの開発が不要であり、セクション／パスの障害管理を低コストに実現することができる。また、新規装置に対応する際にも追加プログラムの開発が不要であるため、短時間に対応を行うことが可能である。また、MIBが公開されている他社製品の装置に対しても、本実施の形態による機能を用いてセクション／パスの障害管理が可能となる。このため、監視装置の対象を広げることができる。
【００４９】
このようにして、監視装置に対してパス管理機能を追加し、Mibloading監視を行いながら、パス管理機能に関して、セクションおよびパスの障害管理を実現することができる。
【００５０】
その他の実施の形態．
本発明は上記実施の形態に限られたものではなく、趣旨を逸脱しない範囲で適宜変更することが可能である。例えば、本発明が対象とする無線ネットワークの構成に関しては、無線アクセス装置が備える有線端点／無線端点は、Fast Ethernet（登録商標）回線に限定されず、STM、PDH回線、ATM回線、Ethernet（登録商標）回線、IP回線、VLAN回線、仮想化環境上の通信回線などを用いて構成するものとしてもよい。また、有線端点および無線端点は複数存在するものとしてもよい。
【００５１】
さらに、本発明は図１に示した無線ネットワークシステム１の構成に限定されず、他の無線ネットワークシステムの構成を採用してもよい。例えば、図１０に示すように、交差偏波間干渉補償器（XPIC：cross polarization interference canceller）を採用して、無線アクセス装置１３、１４内の複数のModem部３１２を使用する構成としてもよい。この無線ネットワークシステムは、無線区間２０３および無線区間２０４を仮想的に１つの無線区間として扱うことで、伝送容量を倍増させることが可能である。
【００５２】
さらにまた、図１の無線ネットワーク１に示す構成において、NMSが、セクションアラームに回線種別（FEやFE_AMR）を含め、MTOSI CORBA／SOAP（TMF８１４）等を通じて、上位OSS２３に通知するようにしてもよい。
【符号の説明】
【００５３】
１  無線ネットワーク
２  監視装置
３〜６  被監視対象装置
７  MIB DB
８  表示部
１１、１２  無線アクセス装置（パス管理対応機種）
１３、１４  無線アクセス装置（パス管理非対応機種）
２０  EMS／NMS装置
２１  通信装置（RNC）
２２  通信装置（BTS）
２３  上位OSS（Operation Support System）
２０１〜２０２、２０３〜２０４  無線区間
１０１〜１０３  有線区間
３０１  変調器
３０２  復調器
３０３  受信器
３０４  送信器
３０５  アンテナ
３０６  変復調制御部
３０７  分波器
３０８  エージェント部
３０９  入力子
３１０  出力子
３１１  主信号制御部
３１２  Modem部
３１３  Modem部
４０１  制御部
４０２  通信部
４０３  MIB DB
４０４  セクションDB
４０５  表示部
４０６  有線セクション
４０７  無線セクション
４０８  マップウインドウ
４０９  パスDB
４１０  監視対象DB
【図１】
2014093723.tif 000003
【図２】
2014093723.tif 000004
【図３】
2014093723.tif 000005
【図４】
2014093723.tif 000006
【図５】
2014093723.tif 000007
【図６】
2014093723.tif 000008
【図７】
2014093723.tif 000009
【図８】
2014093723.tif 000010
【図９】
2014093723.tif 000011
【図１０】
2014093723.tif 000012
【図１１】
2014093723.tif 000013